(57)【特許請求の範囲】
【請求項１】
複数のリンクプレートを表裏ランダムにチェーン幅方向に並列集合したリンク列が連結ピンによって相互に指組み状に連結され、前記チェーン幅方向に並列集合した全てのリンクプレートの外形（ｗ，ｈ）を投影したリンク列の外形（Ｗ，Ｈ）が前記リンク列を構成する個々のリンクプレートの外形（ｗ，ｈ）より僅かに大きくなっているサイレントチェーンと、前記サイレントチェーンのチェーン・ピッチよりも小さいホブ・ピッチを有するホブ・カッターで歯切りされたスプロケットとを具備しているサイレントチェーン伝動機構であって、
前記サイレントチェーンのチェーン・ピッチに対するホブ・ピッチのピッチ比が、０．９６以上１．００未満の範囲内であることを特徴とするサイレントチェーン伝動機構。
【発明の詳細な説明】
【０００１】
【発明の属する技術分野】
本発明は、歯数の相異なるスプロケット間で動力を伝達するサイレントチェーン伝動機構に関するものであって、特に、４サイクルエンジンのクランク軸からカム軸やバランサ軸を駆動するようなサイレントチェーン伝動機構に関するものである。
【０００２】
【従来の技術】
図７に示すような４サイクルエンジンのクランク軸から吸気バルブ、排気バルブ、バランサなどを駆動する場合に用いられるサイレントチェーン伝動機構は、バルブ駆動用クランク軸スプロケットＡ１１ａと、吸気バルブ用カム軸スプロケットＡ１２ａと、排気バルブ用カム軸スプロケットＡ１２ｂと、これらの間に掛け回されるバルブ開閉タイミング用サイレントチェーン２０ａと、このバルブ開閉タイミング用サイレントチェーン２０ａに張力を与えるテンショナ３０ａとで構成されるバルブ開閉タイミング伝動機構Ｍ１を備えているとともに、前記バルブ駆動用クランク軸スプロケットＡ１１ａと同心状に軸支されたバランサ駆動用クランク軸スプロケットＡ１１ｂと、バランサ軸スプロケットＡ１３と、これらの間に掛け回されるバランサ駆動用サイレントチェーン２０ｂと、このバランサ駆動用サイレントチェーン２０ｂに張力を与えるテンショナ３０ｂとで構成されるバランサ伝動機構Ｍ２とを備えている。
【０００３】
そして、前記バルブ開閉タイミング用サイレントチェーン２０ａとバランサ駆動用サイレントチェーン２０ｂは、打ち抜き加工された一対の噛み合い歯を有する複数のリンクプレート２１を表裏ランダムにチェーン幅方向に並列集合したリンク列２２が連結ピン２３で相互に指組み状に多数連結されている。
【０００４】
他方、このような吸気バルブと排気バルブは、バルブ駆動用クランク軸スプロケットＡ１１ａが２回転すると、それぞれ１回作動するようになっている。そこで、クランク軸側の回転速度をカム軸側で１／２に減速する必要があり、吸気バルブ用カム軸スプロケットＡ１２ａと排気バルブ用カム軸スプロケットＡ１２ｂの歯数は、バルブ駆動用クランク軸スプロケットＡ１１ａの歯数の２倍となるように設定されている。
【０００５】
また、バランサ軸は、クランク軸の高次不釣り合いを相殺するため、バランサ駆動用クランク軸が１回転すると２回転するようになっている。そこで、バランサ駆動用クランク軸側の回転速度をバランサ軸側で２倍に増速する必要があり、バランサ駆動用クランク軸スプロケットＡ１１ｂの歯数は、バランサ軸スプロケットＡ１３の歯数の２倍となるように設定されている。
【０００６】
そして、バルブ駆動用クランク軸スプロケットＡ１１ａ、カム軸スプロケットＡ１２、バランサ軸スプロケットＡ１３には、同一の歯切り条件からなるインボリュート歯、すなわち、前述したようなサイレントチェーンのチェーン・ピッチＰｃと同一ピッチのホブ・ピッチＰｈを有するホブ・カッターＨＣで歯切りされたインボリュート歯が形成されている。
【０００７】
【発明が解決しようとする課題】
そこで、このような従来のサイレントチェーン伝動機構に用いているバルブ開閉タイミング用サイレントチェーン２０ａとバランサ駆動用サイレントチェーン２０ｂは、図８の（ａ）に示すように、リンクプレート２１を精密に打ち抜き加工しても打ち抜き加工時の打ち抜き振動などによってピン孔２１ａの穿孔位置に僅かなズレ（Ａ＞Ｂ，Ｃ＜Ｄ）を生じ、図８の（ｃ）に示すように、必ずしもリンクプレート２１の各部位が左右対象（Ａ＝Ｂ，Ｃ＝Ｄ）とはならないため、チェーン組み立て時にこのような多数のリンクプレート２１を表裏ランダムにチェーン幅方向に並列集合してリンク列２２を形成すると、図８の（ｂ）に示すように、チェーン幅方向に並列集合した全てのリンクプレート２１の外形（ｗ，ｈ）を投影したリンク列２２の外形（Ｗ，Ｈ）はリンク列２２を構成する個々のリンクプレート２１の外形（ｗ，ｈ）より僅かに大きくなる傾向がある。
【０００８】
そうすると、これらのサイレントチェーンのリンクプレート２１に打ち抜き加工された一対のピン孔２１ａ間で設定されるチェーン・ピッチＰｃと同一ピッチのホブ・ピッチＰｈを有するホブ・カッターＨＣで歯切りされた最適な噛み合いを達成する筈のスプロケットであっても、図８の（ｂ）に示すように、リンク列２２の外形（Ｗ，Ｈ）が個々のリンクプレート２１の外形（ｗ，ｈ）より大きくなっている分（δｗ，δｈ）だけ、両者の噛み合いが窮屈になって噛み合い不良を生じ、騒音と振動を発生させるという問題があり、このような騒音と振動をサイレントチェーン側の形状・構造のみで容易に解決することはできないという厄介な問題があった。
【０００９】
また、このような従来のサイレントチェーン伝動機構は、歯数の相異なるバルブ駆動用クランク軸スプロケットＡ１１ａ、カム軸スプロケットＡ１２、バランサ軸スプロケットＡ１３のインボリュート歯を全て同一のホブ・ピッチＰｈを有するホブ・カッターＨＣで歯切り加工しているため、これらのスプロケットにおいて最適な噛み合いを一律に達成することは至難の技であり、いずれかのスプロケットにおいて生じる噛み合い不良を回避することができず、この噛み合い不良が前述したような騒音と振動をより増大させるという問題があった。
【００１０】
特に、小歯数のバルブ駆動用クランク軸スプロケットＡ１１ａよりも巻き付くリンクプレート２１のリンク数が多い大歯数のカム軸スプロケットＡ１２や、バランサ軸スプロケットＡ１３より巻き付き角度が大きいバランサ駆動用クランク軸スプロケットＡ１１ｂでは、前述したような窮屈な噛み合いがより多く累積してサイレントチェーンが本来のチェーンピッチラインＬよりも外側に外れて走行することによって、チェーンピッチラインＬに関するレイアウト設計上の許容範囲を逸脱して騒音特性、振動特性、摩耗特性、走行安定性などで様々な悪影響を生じるという問題があった。
【００１１】
そこで、本発明の目的は、チェーン組み立て時に複数のリンクプレートを表裏ランダムにチェーン幅方向に並列集合したリンク列が連結ピンによって相互に指組み状に連結され、前記チェーン幅方向に並列集合した全てのリンクプレートの外形（ｗ，ｈ）を投影したリンク列の外形（Ｗ，Ｈ）が前記リンク列を構成する個々のリンクプレートの外形（ｗ，ｈ）より僅かに大きくなっているサイレントチェーンであっても、レイアウト設計されたチェーンピッチライン上を外れることなく正確に走行することができ、優れた騒音特性、振動特性、摩耗特性、走行安定性を発揮することができるサイレントチェーン伝動機構を提供することである。
【００１２】
【課題を解決するための手段】
前記目的を達成するために、本発明のサイレントチェーン伝動機構は、複数のリンクプレートを表裏ランダムにチェーン幅方向に並列集合したリンク列が連結ピンによって相互に指組み状に連結され、前記チェーン幅方向に並列集合した全てのリンクプレートの外形（ｗ，ｈ）を投影したリンク列の外形（Ｗ，Ｈ）が前記リンク列を構成する個々のリンクプレートの外形（ｗ，ｈ）より僅かに大きくなっているサイレントチェーンと、前記サイレントチェーンのチェーン・ピッチよりも小さいホブ・ピッチを有するホブ・カッターで歯切りされたスプロケットとを具備している。
【００１３】
そして、前記サイレントチェーンのチェーン・ピッチに対するホブ・ピッチのピッチ比が、０．９６以上１．００未満の範囲内であることによって、前記課題を解決したものである。
【００１４】
ここで、本発明におけるサイレントチェーンの「チェーン・ピッチ」とは、リンクプレートに打ち抜き加工された一対のピン孔間の中心間隔、若しくは、リンクプレートに挿通された一対の連結ピン間の中心間隔を意味しており、ホブ・カッターの「ホブ・ピッチ」とは、ホブ・カッターの歯すじに直角な断面に形成されるラック歯間の相互間隔を意味している。
【００１５】
また、本発明のサイレントチェーン伝動機構では、サイレントチェーンのチェーン・ピッチに対するホブ・ピッチのピッチ比が、０．９６以上１．００未満の範囲内であると、低騒音かつ低振動の最適な噛み合いを実現することができるが、０．９６未満では歯飛び不良を生じるとともに騒音と振動を低減することができず、１．００以上では噛み合いが窮屈となって噛み合い不良を生じやすく、騒音と振動を低減することができない。
【００１６】
【作用】
本発明のサイレントチェーン伝動機構は、歯数の相異なるスプロケット間で動力を伝達するものであって、その最も特徴とする作用は以下のとおりである。
【００１７】
まず、本請求項１に係る発明のサイレントチェーン伝動機構を構成する、サイレントチェーンのチェーン・ピッチよりも小さなピッチのホブ・ピッチを有するホブ・カッターで歯切りされたスプロケットは、サイレントチェーンのチェーン・ピッチと同一ピッチで歯切りされたスプロケットに比較すると、同一のスプロケット歯数であっても個々のスプロケット歯が僅かに薄く痩せたインボリュート歯形となり、スプロケット径も僅かに小さくなっている。
【００１８】
したがって、複数のリンクプレートを表裏ランダムにチェーン幅方向に並列集合したリンク列が連結ピンによって相互に指組み状に連結され、前記チェーン幅方向に並列集合した全てのリンクプレートの外形（ｗ，ｈ）を投影したリンク列の外形（Ｗ，Ｈ）が前記リンク列を構成する個々のリンクプレートの外形（ｗ，ｈ）より僅かに大きくなっているサイレントチェーンを用いても、前述したような薄く痩せたスプロケット歯の相互間隙において、リンク列の外形が個々のリンクプレートの外形より大きくなっている分を十分に収容解消することができるので、サイレントチェーンがレイアウト設計されたチェーンピッチライン上を正確に走行してスプロケットと確実に噛み合う。
【００１９】
特に、小歯数のスプロケットよりも巻き付くリンクプレートのリンク数が多い大歯数のスプロケットや、巻き付き角度が１８０度以上となるスプロケットであっても、前述したような薄く痩せたスプロケット歯の相互間隙において、順次、リンク列の外形が個々のリンクプレートの外形より大きくなっている分を収容解消することができるので、従来のような窮屈な噛み合いが過度に累積してサイレントチェーンが本来のチェーンピッチラインよりも外側に外れて走行するような不具合を回避する。
【００２０】
そして、前記サイレントチェーンのチェーン・ピッチに対するホブ・ピッチのピッチ比が、０．９６以上１．００未満の範囲内であることによって、サイレントチェーンとスプロケットとの噛み合い時に最適な噛み合い高さを確保することができるため、スプロケット歯の相互間隙において相互に連結されるリンク列が連結ピンを介して円滑に回動屈曲して、噛み合い不良や歯飛びを生じることがない。
【００２１】
【発明の実施の形態】
以下、本発明のサイレントチェーン伝動機構の好ましい実施の形態である実施例を図面に基づいて説明する。
ここで、図１は、本発明に用いたスプロケットの歯切り加工を従来技術と比較したものであって、（ａ）は従来の歯切り加工を示し、（ｂ）は本発明の歯切り加工を示した図であり、図２は、本発明の噛み合い状態を従来技術と比較したものであって、（ａ）は従来の噛み合い状態を示し、（ｂ）は本発明の噛み合い状態を示した図である。そして、図３は、ホブ・ピッチを変化させた場合の騒音レベルを示した図であり、図４は、サイレントチェーンのチェーン・ピッチに対するホブ・ピッチのピッチ比が、１．００以上である場合の噛み合い状態を示した図であり、図５は、サイレントチェーンのチェーン・ピッチに対するホブ・ピッチのピッチ比が、０．９６以上１．００未満の最適範囲内である場合の噛み合い状態を示した図であり、図６は、サイレントチェーンのチェーン・ピッチに対するホブ・ピッチのピッチ比が、０．９６未満である場合の噛み合い状態を示した図であり、図７は、サイレントチェーン伝動機構の全体概要図であり、図８は、リンク列の外形と個々のリンクプレートの外形とを比較した図である。
【００２２】
まず、本実施例のサイレントチェーン伝動機構は、図７に示された従来の４サイクルエンジンに設置したサイレントチェーン伝動機構と基本的には同様なものであって、自動車エンジンの吸気バルブと排気バルブをクランク軸の２回転につき１回転作動させるためにバルブ駆動タイミング用サイレントチェーン２０ａによって動力伝達されるバルブ駆動用クランク軸スプロケット１１ａ、吸気バルブ・カム軸スプロケット１２ａ、排気バルブ・カム軸スプロケット１２ｂを備えて減速伝動するバルブ開閉タイミング伝動機構Ｍ１と、バランサをクランク軸の１回転につき２回転させるためにバランサ駆動用サイレントチェーン２０ｂによって動力伝達されるバランサ駆動用クランク軸スプロケット１１ｂ、バランサ軸スプロケット１３ａ、１３ｂを備えて増速伝動するバランサ伝動機構Ｍ２とを具備している。
【００２３】
そこで、本実施例のサイレントチェーン伝動機構で用いたバルブ駆動タイミング用サイレントチェーン２０ａとバランサ駆動用サイレントチェーン２０ｂについて以下のとおり詳説する。
前記バルブ開閉タイミング用サイレントチェーン２０ａとバランサ駆動用サイレントチェーン２０ｂは、ブランク鋼板から打ち抜き加工された一対の噛み合い歯を有する複数のリンクプレート２１を表裏ランダムにチェーン幅方向に並列集合したリンク列２２が連結ピン２３で相互に指組み状に多数連結されて編成されており、リンク列２２の連結個数以外は全て同一の形状・構造となっている。
【００２４】
ここで、前記バルブ開閉タイミング用サイレントチェーン２０ａとバランサ駆動用サイレントチェーン２０ｂに編成される個々のリンクプレート２１は、図８の（ａ）に示すように、精密な打ち抜き加工しても打ち抜き加工時の打ち抜き振動などによってピン孔２１ａの穿孔位置に僅かなズレ（Ａ＞Ｂ，Ｃ＜Ｄ）を生じ、図８の（ｃ）に示すように、必ずしもリンクプレート２１の各部位が左右対象（Ａ＝Ｂ，Ｃ＝Ｄ）とはなっておらず、個々のリンクプレート２１においてバラツキを生じている。
したがって、チェーン組み立て時に、このような多数のリンクプレート２１を表裏ランダムにチェーン幅方向に並列集合してリンク列２２を形成すると、それぞれのリンク列２２におけるチェーン・ピッチＰｃは、所定ピッチに統制されているが、図８の（ｂ）に示すように、チェーン幅方向に並列集合した全てのリンクプレート２１の外形（ｗ，ｈ）を投影したリンク列２２の外形（Ｗ，Ｈ）はリンク列２２を構成する個々のリンクプレート２１の外形（ｗ，ｈ）より僅かに大きくなっている。
【００２５】
次に、本実施例のサイレントチェーン伝動機構で用いたスプロケットについて以下のとおり詳説する。
まず、図１に示すように、クランク軸スプロケット１１ａ、カム軸スプロケット１２、バランサ軸スプロケット１３は、全て同一の歯切り条件、すなわち、サイレントチェーンのチェーン・ピッチＰｃよりも小さいピッチのホブ・ピッチＰｈを有するホブ・カッターＨＣでインボリュート歯が歯切りされており、サイレントチェーンのチェーン・ピッチＰｃと同一ピッチで歯切りされたスプロケットに比較すると、同一のスプロケット歯数であっても個々のスプロケット歯が僅かに薄く痩せたインボリュート歯形となり、スプロケット径も僅かに小さくなっている。
なお、図１の符号δｈ´は、従来の歯切り加工と本発明の歯切り加工とを比較した場合におけるホブ・カッターＨＣの追い込み量の差であって、前述した図８で示すようなδｈを吸収解消し得る程度の差である。また、図１の符号Ｌａは、噛み合いピッチラインである。
【００２６】
このように構成された本実施例のサイレントチェーン伝動機構の基本的な作動状態を図２に基づいて説明すると、以下のとおりである。
複数のリンクプレート２１を表裏ランダムにチェーン幅方向に並列集合したリンク列２２が連結ピン２３によって相互に指組み状に連結され、前記チェーン幅方向に並列集合した全てのリンクプレートの外形（ｗ，ｈ）を投影したリンク列の外形（Ｗ，Ｈ）が前記リンク列を構成する個々のリンクプレートの外形（ｗ，ｈ）より僅かに大きくなっているバルブ開閉タイミング用サイレントチェーン２０ａとバランサ駆動用サイレントチェーン２０ｂを用いても、前述した歯切り条件で製造された薄く痩せたスプロケット歯の相互間隙において、リンク列２２の外形（Ｗ，Ｈ）が個々のリンクプレート２１の外形（ｗ，ｈ）より大きくなっている分（δｗ，δｈ）を十分に収容することができるので、バルブ開閉タイミング用サイレントチェーン２０ａとバランサ駆動用サイレントチェーン２０ｂがエンジンルーム内でレイアウト設計されたチェーンピッチラインＬｃ上を正確に走行してクランク軸スプロケット１１ａ、カム軸スプロケット１２、バランサ軸スプロケット１３などと確実に噛み合う。
【００２７】
特に、小歯数のクランク軸スプロケット１１ａより巻き付くリンクプレート２１のリンク数が多い大歯数のカム軸スプロケット１２や、巻き付き角度が大きいバランサ駆動用クランク軸スプロケット１１ｂであっても、前述した薄く痩せたスプロケット歯の相互間隙において、順次、リンク列２２の外形（Ｗ，Ｈ）が個々のリンクプレート２１の外形（ｗ，ｈ）より大きくなっている分（δｗ，δｈ）を収容解消することができるので、従来のような窮屈な噛み合いがより多く累積してバルブ開閉タイミング用サイレントチェーン２０ａとバランサ駆動用サイレントチェーン２０ｂが本来のチェーンピッチラインＬｃよりも外側に外れて走行することがない。
【００２８】
そこで、図３ないし図６に基づいて本実施例のサイレントチェーン伝動機構における騒音レベルと噛み合い状態を説明すると、以下のとおりである。
図４に示すように、バルブ開閉タイミング用サイレントチェーン２０ａとバランサ駆動用サイレントチェーン２０ｂのチェーン・ピッチＰｃに対するホブ・ピッチＰｈのピッチ比（Ｐｈ／Ｐｃ）が、１．００以上であるサイレントチェーン伝動機構では、スプロケットとの噛み合い時にこれらのサイレントチェーンの噛み合いが窮屈となってレイアウト設計されたチェーンピッチラインＬｃ上を外側に外れて走行するため、最適な噛み合い高さを確保することができずに、噛み合い不良を生じやすく、騒音と振動を低減することができない。
図５に示すように、バルブ開閉タイミング用サイレントチェーン２０ａとバランサ駆動用サイレントチェーン２０ｂのチェーン・ピッチＰｃに対するホブ・ピッチＰｈのピッチ比（Ｐｈ／Ｐｃ）が、０．９６以上１．００未満の範囲内にある本実施例のサイレントチェーン伝動機構では、これらのサイレントチェーンとスプロケットとの噛み合い時に最適な噛み合い高さを確保することができるため、スプロケット歯の相互間隙において相互に連結されるリンク列２２が連結ピン２３を介して円滑に回動屈曲して、噛み合い不良や歯飛びを生じることがない。
図６に示すように、バルブ開閉タイミング用サイレントチェーン２０ａとバランサ駆動用サイレントチェーン２０ｂのチェーン・ピッチＰｃに対するホブ・ピッチＰｈのピッチ比（Ｐｈ／Ｐｃ）が、０．９６未満であるサイレントチェーン伝動機構では、スプロケットとの噛み合い時にこれらのサイレントチェーンがレイアウト設計されたチェーンピッチラインＬｃ上を外側に外れて走行するため、騒音と振動を低減することができずに、歯飛びを生じる。
【００２９】
以上のようにして得られた本実施例のサイレントチェーン伝動機構は、従来のサイレントチェーン伝動機構と比較すると、複数のリンクプレート２１を表裏ランダムにチェーン幅方向に並列集合したリンク列２２が連結ピン２３によって相互に指組み状に連結され、前記チェーン幅方向に並列集合した全てのリンクプレートの外形（ｗ，ｈ）を投影したリンク列の外形（Ｗ，Ｈ）が前記リンク列を構成する個々のリンクプレートの外形（ｗ，ｈ）より僅かに大きくなっているバルブ開閉タイミング用サイレントチェーン２０ａとバランサ駆動用サイレントチェーン２０ｂであっても、レイアウト設計されたチェーンピッチラインＬｃ上を外れることなく正確に走行することができ、優れた騒音特性、振動特性、摩耗特性、走行安定性を発揮することができ、その効果は甚大である。
【００３０】
なお、上述した本発明の一実施例であるサイレントチェーン伝動機構については、バルブ開閉タイミング伝動機構Ｍ１と、バランサ駆動用クランク軸スプロケット１１ｂ、バランサ軸スプロケット１３ａ、１３ｂを備えて増速伝動するバランサ伝動機構Ｍ２とを具備した機構を対象にして説明したが、本発明の他の実施例であるサイレントチェーン伝動機構が、バランサ伝動機構Ｍ２以外のオイルポンプ等の補機駆動用伝動機構を組み合わせた機構であっても、同様な作用効果が達成されることは言うまでもない。
【００３１】
【発明の効果】
本発明のサイレントチェーン伝動機構は、歯数の相異なるスプロケット間で動力を伝達するものであって、以下のような特有の効果を奏することができる。すなわち、
【００３２】
まず、本発明のサイレントチェーン伝動機構は、複数のリンクプレートを表裏ランダムにチェーン幅方向に並列集合したリンク列が連結ピンによって相互に指組み状に連結され、前記チェーン幅方向に並列集合した全てのリンクプレートの外形（ｗ，ｈ）を投影したリンク列の外形（Ｗ，Ｈ）が前記リンク列を構成する個々のリンクプレートの外形（ｗ，ｈ）より僅かに大きくなっているサイレントチェーンと、前記サイレントチェーンのチェーン・ピッチよりも小さいホブ・ピッチを有するホブ・カッターで歯切りされたスプロケットとで構成されていることにより、サイレントチェーンとスプロケットとの噛み合いにおいて、サイレントチェーンのチェーン・ピッチよりも小さいホブ・ピッチを有するホブ・カッターで歯切りされたスプロケットが、個々のリンクプレートより大きな外形となっているリンク列を確実かつ円滑に受け入れるため、サイレントチェーンがレイアウト設計されたチェーンピッチライン上を正確に走行して低騒音と低振動の噛み合いを実現でき、しかも、チェーン組み立て時にリンクプレートの表裏を問題視することなく簡便に並列集合させることができるのでチェーン生産性が著しく向上する。
【００３３】
特に、小歯数のスプロケットより巻き付くリンクプレートのリンク数が多い大歯数のスプロケットや、巻き付き角度が大きいスプロケットであっても、順次、個々のリンクプレートより大きな外形となっているリンク列を確実かつ円滑に受け入れるため、従来のような窮屈な噛み合いがより多く累積してサイレントチェーンが本来のチェーンピッチラインよりも外側に外れて走行することがない。
【００３４】
そして、前記サイレントチェーンのチェーン・ピッチに対するホブ・ピッチのピッチ比が、０．９６以上１．００未満であることによって、サイレントチェーンとスプロケットとの噛み合い時に最適な噛み合い高さを確保することができるため、スプロケット歯の相互間隙において相互に連結されるリンク列が連結ピンを介して円滑に回動屈曲して、噛み合い不良や歯飛びを生じることがないので、最適な噛み合いを達成することができる。
【図面の簡単な説明】
【図１】本発明に用いたスプロケットの歯切り加工を従来技術と比較して示した図。
【図２】本発明の噛み合い状態を従来技術と比較して示した図。
【図３】ホブ・ピッチを変化させた場合の騒音レベルを示した図。
【図４】サイレントチェーンのチェーン・ピッチに対するホブ・ピッチのピッチ比が、１．００以上である場合の噛み合い状態を示した図。
【図５】サイレントチェーンのチェーン・ピッチに対するホブ・ピッチのピッチ比が、０．９６以上１．００未満の最適範囲内である場合の噛み合い状態を示した図。
【図６】サイレントチェーンのチェーン・ピッチに対するホブ・ピッチのピッチ比が、０．９６未満である場合の噛み合い状態を示した図。
【図７】サイレントチェーン伝動機構の全体概要図。
【図８】リンク列の外形と個々のリンクプレートの外形とを比較した図。
【符号の説明】
１１ａ，Ａ１１ａ  ・・・  バルブ駆動用クランク軸スプロケット
１１ｂ，Ａ１１ｂ  ・・・  バランサ軸駆動用クランク軸スプロケット
１２ａ，Ａ１２ａ  ・・・  吸気バルブ用カム軸スプロケット
１２ｂ，Ａ１２ｂ  ・・・  排気バルブ用カム軸スプロケット
１３，Ａ１３  ・・・  バランサ軸スプロケット
２０ａ・・・  バルブ開閉タイミング用サイレントチェーン
２０ｂ・・・  バランサ駆動用サイレントチェーン
２１  ・・・  リンクプレート
２１ａ・・・  ピン孔
２２  ・・・  リンク列
２３  ・・・  連結ピン
３０ａ・・・  テンショナ
３０ｂ・・・  テンショナ
Ｐｃ  ・・・  チェーン・ピッチ
Ｐｈ  ・・・  ホブ・ピッチ
ＨＣ  ・・・  ホブ・カッター
Ｌｃ  ・・・  チェーンピッチライン
Ｌａ  ・・・  噛み合いピッチライン
【図１】
0004149688.tif 000002
【図２】
0004149688.tif 000003
【図３】
0004149688.tif 000004
【図４】
0004149688.tif 000005
【図５】
0004149688.tif 000006
【図６】
0004149688.tif 000007
【図７】
0004149688.tif 000008
【図８】
0004149688.tif 000009